(57)【要約】【課題】  ランプを装着し易く、器具のコンパクト化を図る。【解決手段】  周囲にねじを設けたねじ筒部１０の内部に導電端子３を覆うカバー２を装着したソケット本体１と、ねじ筒部１０とカバー２との間に挿入される防水リングパッキン４と、ねじ部に螺合する防水リング６とを備え、ソケット本体１の周囲から中心に向かう２本のランプピン挿入開口部１１を設けるとともに、ねじ筒部１０のランプピン挿入開口部１１間にリブ１２が形成され、ランプピンはランプピン挿入開口部１１に沿って挿入され、ランプピン挿入開口部１１の端部にて導電端子３に接続した状態で保持されるランプソケットにおいて、ランプピン挿入開口部１１近傍のカバー２にテーパ面１７を形成し、ソケット本体１のテーパ面１７側のねじ筒部１０を、テーパ面１７の先端と略同じ高さに設定した。【選択図】  図１
2005044719.tif 000002
【特許請求の範囲】
【請求項１】
周囲にねじを設けたねじ筒部の内部に導電端子を覆うカバーを装着したソケット本体と、前記ねじ筒部と前記カバーとの間に挿入される防水リングパッキンと、前記ねじ部に螺合する防水リングとを備え、前記ソケット本体の周囲から中心に向かう２本のランプピン挿入開口部を設けるとともに、前記ねじ筒部の前記ランプピン挿入開口部間にリブが形成され、ランプピンは前記ランプピン挿入開口部に沿って挿入され、前記ランプピン挿入開口部の端部にて前記導電端子に接続した状態で保持されるランプソケットにおいて、前記ランプピン挿入開口部近傍の前記カバーにテーパ面を形成し、前記ソケット本体のテーパ面側の前記ねじ筒部を、前記テーパ面の先端と略同じ高さに設定したことを特徴とするランプソケット。
【請求項２】
前記ソケット本体のテーパ面側のねじ筒部の端面をテーパ面とし、このテーパ面はカバーのテーパ面の延長線上より外寄りにずらして形成した請求項１記載のランプソケット。
【請求項３】
カバーのテーパ面を、２本のランプピン挿入開口部に挟まれた部分のみに形成した請求項１記載のランプソケット。
【請求項４】
リブの高さを周囲のねじ筒部より低くした請求項１記載のランプソケット。
【発明の詳細な説明】
【技術分野】
【０００１】
この発明は、例えば直管形蛍光灯用防水照明器具灯などに適用されるランプソケットに関するものである。
【背景技術】
【０００２】
従来例のランプソケットとして、防水リングを螺合するねじ筒（ボディねじ部）の内部に受板（カバー）を装着したソケット本体を備えたものがある（例えば、特許文献１，２参照）。この場合、ソケット本体の周側からランプピンを挿入可能とする２本のピン孔が形成されている。また、ボディねじ部の２本のピン孔間に対応する部分は切欠かれることにより、その間にリブが形成される。
【０００３】
別の従来例としてホスローシュワーベ社のソケット（ＢＪＢ社のソケットも同様）がある。図８に示すように、上記従来例と同様にソケット本体５０、ボディねじ部５１、カバー５２、ピン孔５３、リブ５４等を備えている。この場合、カバー面をボディねじ部５２より突出させて、テーパ面５５を施している。
【特許文献１】特開２０００−３１５５８号公報
【特許文献２】特開２０００−３１５５７号公報
【発明の開示】
【発明が解決しようとする課題】
【０００４】
特許文献１，２のようなランプソケットは、ボディねじ部の端面（前面）は、ランプ軸に対し直角である。また、ランプが装着されるカバー面と、ボディねじ部およびリブの端面はほぼ同じ位置である。そのため、前記構造のランプソケットを使用した照明器具にランプを装着するには、片側のランプソケットにランプの一端を装着した後、ランプの他端をランプソケットに装着するのであるが、ランプ口金の端がランプソケットのボディねじ部に当って装着し難い状態になることがある。
【０００５】
図８に示すランプソケットは、テーパ面５５によりランプ口金が案内されるため、前記の課題を解決することができる。しかしながら、この場合は、カバーを突出させた寸法分ソケットの背面までの厚さが厚くなり、照明器具の全長が長くなり、器具のコンパクト化が損なわれる。すなわち、ボディねじ部５１の寸法Ｌを同じだけ確保すると、テーパの長さ分だけ厚さＨが増すことで、ソケットの厚さが増すため形が大きくなる。また、厚さＨを維持すると、テーパの長さ分だけねじ長さ（防水リングの締め付け代）が短くなることで、防水パッキンが圧縮不足となる。
【０００６】
したがって、この発明の目的は、ランプを装着し易く、器具のコンパクト化を図ることができるランプソケットを提供することである。
【課題を解決するための手段】
【０００７】
上記課題を解決するためにこの発明の請求項１記載のランプソケットは、周囲にねじを設けたねじ筒部の内部に導電端子を覆うカバーを装着したソケット本体と、前記ねじ筒部と前記カバーとの間に挿入される防水リングパッキンと、前記ねじ部に螺合する防水リングとを備え、前記ソケット本体の周囲から中心に向かう２本のランプピン挿入開口部を設けるとともに、前記ねじ筒部の前記ランプピン挿入開口部間にリブが形成され、ランプピンは前記ランプピン挿入開口部に沿って挿入され、前記ランプピン挿入開口部の端部にて前記導電端子に接続した状態で保持されるランプソケットにおいて、前記ランプピン挿入開口部近傍の前記カバーにテーパ面を形成し、前記ソケット本体のテーパ面側の前記ねじ筒部を、前記テーパ面の先端と略同じ高さに設定した。
【０００８】
請求項２記載のランプソケットは、請求項１記載のランプソケットにおいて、前記ソケット本体のテーパ面側のねじ筒部の端面をテーパ面とし、このテーパ面はカバーのテーパ面の延長線上より外寄りにずらして形成した。
【０００９】
請求項３記載のランプソケットは、請求項１記載のランプソケットにおいて、カバーのテーパ面を、２本のランプピン挿入開口部に挟まれた部分のみに形成した。
【００１０】
請求項４記載のランプソケットは、請求項１記載のランプソケットにおいて、リブの高さを周囲のねじ筒部より低くした。
【発明の効果】
【００１１】
この発明の請求項１記載のランプソケットによれば、ランプピン挿入開口部近傍のカバーにテーパ面を形成し、ソケット本体のテーパ面側のねじ筒部を、テーパ面の先端と略同じ高さに設定したので、ランプを装着するとき、ランプ口金がソケット本体のねじ筒部端面に当たる（引っ掛かる）ことがなくテーパ面に案内される。このため、ランプが装着し易くなる。
【００１２】
また、ソケット本体のねじ筒部よりカバー面を突出させなくてもよいので、ソケットの厚さが大きくなることはなくコンパクト化を図ることができる。また、ソケットの厚さを維持するために、ねじ筒部のねじ長さを短くする必要もないので、防水リングの締め付け代を確保でき、防水リングパッキンが圧縮不足となることはない。
【００１３】
請求項２では、ソケット本体のテーパ面側のねじ筒部の端面をテーパ面とし、このテーパ面はカバーのテーパ面の延長線上より外寄りにずらして形成したので、ランプを装着するとき、ランプ口金がカバーのテーパ面に当たるより先に、ねじ筒部のテーパ面にランプ口金が当たる。このため、ランプが挿入中心からずれている場合、ねじ筒部のテーパ面の片側に当った状態から、両側が接触するようにすることでランプを挿入中心に誘導することができる。
【００１４】
請求項３では、カバーのテーパ面を、２本のランプピン挿入開口部に挟まれた部分のみに形成したので、ソケット本体に防水リングパッキンを装着するとき、防水リングパッキンの先端はねじ筒部とカバーの間に挿入することで大部分が位置決めされるため、リブに引っ掛かることなく通過する。
【００１５】
請求項４では、リブの高さを周囲のねじ筒部より低くしたので、ランプを装着する際、ランプ口金がリブに当たることなく、ねじ筒部に当って誘導されることでランプ装着性が向上する。また、防水リングパッキンがリブに引っ掛かることなく、ねじ筒部とカバーとの間に挿入されるため、防水リングパッキンの装着性が向上する。
【発明を実施するための最良の形態】
【００１６】
この発明の第１の実施の形態の図１〜図３に基づいて説明する。図１はこの発明の第１の実施形態のランプソケットの分解斜視図、図２はこの発明の第１の実施形態におけるソケット本体の斜視図、図３（ａ）はこの発明の第１の実施形態のランプソケットの完成状態の斜視図、（ｂ）は他の例の斜視図である。
【００１７】
図１において、１はソケット本体、２はカバー、３は導電端子、４は防水リングパッキン、５は金属リング、６は樹脂リング（防水リング）である。
【００１８】
図１に示すように、ソケット本体１は、周囲にねじを設けたねじ筒部１０を有し、その内部に導電端子３を覆うカバー２を装着している。また、ソケット本体１の周囲から中心に向かう２本のランプピン挿入開口部１１を設けている。各ランプピン挿入開口部１１は導電端子３が臨むようにカバー２に形成されるとともに、その延長方向のねじ筒部１０の位置を切欠くように形成された開口部分１１ａを有する。これに伴い、ねじ筒部１０のランプピン挿入開口部１１間にリブ１２が形成される。このリブ１２の周面ではねじは形成されていないが、ねじが形成されていてもよい。また、ソケット本体１、カバー２は熱可塑性樹脂等で形成される。
【００１９】
ランプピンは開口部分１１ａからランプピン挿入開口部１１に沿って挿入され、ランプピン挿入開口部１１の端部にて導電端子３に接続した状態で保持される。この際、図２に示すように、ランプピンを仮保持できるように、ランプピン挿入開口部１１のランプピン挿入側にランプピン仮保持用突起１６が形成されている。また、カバー２は冷間かしめ１３によりソケット本体１に固定される。ソケット本体１にはスリット取付溝１４、水抜き穴１５が形成されている。
【００２０】
上記ソケット本体１の構成において、ランプピン挿入開口部１１近傍のカバー２にテーパ面１７を形成し、ソケット本体１のテーパ面１７側のねじ筒部１０をテーパ面１７の先端と略同じ高さに設定している。この場合、テーパ面１７は、ランプピン挿入開口部１１の間およびその外側のカバー２に形成されている。また、ソケット本体１のテーパ面１７側のねじ筒部１０の端面をテーパ面１８としている。このテーパ面１８が形成されたねじ筒部１０の一部とリブ１２が、カバー２のテーパ面１７の先端と略同じ高さに設定される。なお、ソケット本体１のテーパ面１７側のねじ筒部１０の端面はテーパ面でなく切欠き段部にしてもよい。また、図３（ｂ）に示すように、ランプピン挿入開口部１１の間だけテーパ面１７を設けてもよい。
【００２１】
防水リングパッキン４はゴム等の弾性材からなり、ねじ筒部１０とカバー２との間に挿入される。樹脂リング６は、ソケット本体１のねじ筒部１０に螺合するねじ６ａが内側面に設けてあり、金属リング５が当接するように端縁部が形成されている。図３に示す組み立て状態では、ランプピンの接続後において、防水リングパッキン４の一端側をソケット本体のねじ筒部１０とカバー２の間に挿入し、他端側に金属リング５を配置して、樹脂リング６を被せてねじ６ａをねじ筒部１０に螺合して締め込む。これにより、防水リングパッキン４が圧縮されて防水性能が確保される。金属リング５は樹脂リング６と防水リングパッキン４の間に配置され、樹脂リング６の回転時の摩擦を低減させるためのものである。
【００２２】
本実施形態によれば、ランプを装着するとき、ランプ口金がソケット本体１のねじ筒部１０端面に当たる（引っ掛かる）ことがなくテーパ面１７に案内されるため、ランプが装着し易くなる。また、ソケット本体１のねじ筒部１０よりカバー面を突出させなくてもよいので、ソケットの厚さが大きくなることはなくコンパクト化を図ることができる。また、ソケットの厚さを維持するために、ねじ筒部１０のねじ長さを短くする必要もないので、樹脂リング６の締め付け代を確保でき、防水リングパッキン４が圧縮不足となることはない。
【００２３】
この発明の第２の実施の形態の図４〜図６に基づいて説明する。図４はこの発明の第２の実施形態におけるソケット本体の斜視図、図５（ａ）はこの発明の第２の実施形態におけるソケット本体の正面図、（ｂ）は底面図、（ｃ）は側面図、（ｄ）は（ｂ）のＡ−Ａ断面図である。
【００２４】
図４および図５に示すように、第１の実施形態のソケット本体１において、カバー２のテーパ面１７を、２本のランプピン挿入開口部１１に挟まれた部分のみに形成している。また、ソケット本体１のテーパ面１７側のねじ筒部１０の端面をテーパ面１８としているが、このテーパ面１８はカバー２のテーパ面１７の延長線上より外寄りにずらして形成している。具体的にテーパ面１８の形状は、リブ１２を挟んでねじ筒部１９の周方向両側にテーパが形成されるように傾斜している。リブ１２に対応するランプピン挿入開口部１１間のみをカバー２のテーパ面１７とすることで、相互のテーパ面１７，１８が位置ずれして配置される。この場合、リブ１２だけがカバー２のテーパ面１７の先端と略同じ高さに設定される。なお、ランプソケットの完成状態は図３（ｂ）と同様である。
【００２５】
図６はこの発明の第２の実施形態のランプソケットの作用説明図である。図６に示すように、第１の実施形態と同様にランプピンは開口部分１１ａからランプピン挿入開口部１１に沿って挿入される。このとき、ランプが挿入中心からずれている場合、ランプ口金２０がねじ筒部１０のテーパ面１８の片側に当って、他の側は空間であるから、両側が接触するように誘導する。また、誘導の際にランプ口金２０とカバー２のテーパ面１７には空間２１があるので支障なく誘導できる。
【００２６】
また、カバー２のテーパ面１７を、２本のランプピン挿入開口部１１に挟まれた部分のみに形成したので、ソケット本体１に防水リングパッキン４（図１）を装着するとき、防水リングパッキン４の先端はねじ筒部１０とカバー２の間に挿入することで大部分が位置決めされるため、リブ１２に引っ掛かることなく通過する。その他の構成効果は、第１の実施の形態と同様である。
【００２７】
この発明の第３の実施の形態の図７に基づいて説明する。図７はこの発明の第３の実施形態におけるソケット本体の斜視図である。
【００２８】
本実施形態は、図７に示すように、第１の実施形態と同様の構成であるが、特にリブ１２の高さを周囲のねじ筒部１０より低く形成する。これにより、ランプ装着の際に、ランプ口金がリブ１２に当たることなく、ねじ筒部１０のテーパ面１８に当って誘導される。また、防水リングパッキン４を装着する際に、防水リングパッキン４がリブ１２に引っ掛かることなく、ねじ筒部１０とカバー２との間に挿入される。これにより、ランプ装着性の向上と、防水リングパッキンの装着性が向上する。
【図面の簡単な説明】
【００２９】
【図１】この発明の第１の実施形態のランプソケットの分解斜視図である。
【図２】この発明の第１の実施形態におけるソケット本体の斜視図である。
【図３】（ａ）はこの発明の第１の実施形態のランプソケットの完成状態の斜視図、（ｂ）は他の例の斜視図である。
【図４】この発明の第２の実施形態におけるソケット本体の斜視図である。
【図５】（ａ）はこの発明の第２の実施形態におけるソケット本体の正面図、（ｂ）は底面図、（ｃ）は側面図、（ｄ）は（ｂ）のＡ−Ａ断面図である。
【図６】この発明の第２の実施形態のランプソケットの作用説明図である。
【図７】この発明の第３の実施形態におけるソケット本体の斜視図である。
【図８】（ａ）は従来例のランプソケットの正面図、（ｂ）は平面図、（ｃ）は側面図である。
【符号の説明】
【００３０】
１  ソケット本体
２  カバー
３  導電端子
４  防水リングパッキン
６  樹脂リング
１０  ねじ筒部
１１  ランプピン挿入開口部
１２  リブ
１７  テーパ面
１８  テーパ面
【図１】
2005044719.tif 000003
【図２】
2005044719.tif 000004
【図３】
2005044719.tif 000005
【図４】
2005044719.tif 000006
【図５】
2005044719.tif 000007
【図６】
2005044719.tif 000008
【図７】
2005044719.tif 000009
【図８】
2005044719.tif 000010